(57)【要約】【課題】  支持部材において所定の位置決め自由度が達成され、公差補償のために取付け部材が運動可能な固定クランプの提供。【解決手段】  支持部材（１３）と取付け部材（１４）とを結合するための固定クランプは、貫通差込みスリーブ（５）を備える貫通差込み脚部（１）と、ネジユニット（１０）と結合されたネジ脚部（２）とを有する。貫通差込みスリーブ（５）はネジ脚部（２）から離隔するよう延在しかつ取付け部材（１４）の厚さよりも大きい有効構造高さを有する。ネジ脚部（２）は、貫通差込み脚部（１）を指向する側に係止要素（１１）を有する。両方の脚部（１，２）は予取り付け配置において所定の間隔を有する。この間隔は、支持部材（１３）が、当該脚部（１、２）間で係止要素（１１）によって実質的に係止されることなく位置決め可能であるような大きさである。その結果、ネジが最終位置に螺合されると、係止要素（１１）は、固定クランプが支持部材（１３）と摺動不能に結合されるように支持部材（１３）を係止する。【選択図】  図４
2009509107.tif 000002
【特許請求の範囲】
【請求項１】
ネジが挿通可能な貫通差込みスリーブ（５）を有する貫通差込み脚部（１）と、該貫通差込み脚部（１）に対向するよう配置されネジが螺入可能なネジユニット（１０）と結合されたネジ脚部（２）とを備えた、支持部材（１３）と取付け部材（１４）を結合するための固定クランプにおいて、
前記貫通差込みスリーブ（５）は前記ネジ脚部（２）から離隔するよう延在しかつ前記取付け部材（１４）の厚さよりも大きい有効構造高さを有すること、
前記ネジ脚部（２）の前記貫通差込み脚部（１）を指向する側に、係止要素（複数）（１１）を有すること、及び
前記貫通差込み脚部（１）と前記ネジ脚部（２）は、固定クランプの結合形成前の状態において支持部材（１３）が前記係止要素（複数）（１１）によって実質的に係止されることなく前記貫通差込み脚部（１）と前記ネジ脚部（２）との間に位置決め可能な大きさの間隔を有し、該係止要素（複数）（１１）は、ネジが終端位置に螺入されることにより、固定クランプが該支持部材（１３）と摺動不能に結合されるように該支持部材（１３）を係止すること
を特徴とする固定クランプ。
【請求項２】
前記係止要素（複数）は、打抜形成された鉤爪状舌部（１１）として構成されていること
を特徴とする請求項１に記載の固定クランプ。
【請求項３】
前記貫通差込み脚部（１）には、該貫通差込み脚部（１）の前記ネジ脚部（２）に背向する側に突出延在する隆起部（複数）（６）が形成されていること
を特徴とする請求項１又は２に記載の固定クランプ。
【請求項４】
前記ネジ脚部（２）の互いに向い合う側縁部（複数）には、夫々、前記貫通差込み脚部（１）から離隔するよう配向されるサイドリブ（７）が形成されていること
を特徴とする請求項１〜３の何れか一項に記載の固定クランプ。
【請求項５】
前記ネジスリーブ（ユニット）（１０）は、円錐部分（１２）を介して前記ネジ脚部（２）に結合されていること
を特徴とする請求項１〜４の何れか一項に記載の固定クランプ。
【発明の詳細な説明】
【技術分野】
【０００１】
本発明は、請求項１の上位概念による固定クランプに関する。
【背景技術】
【０００２】
この種の固定クランプはＤＥ４２２８５１１Ａ１から既知である。この既知の固定クランプは、支持部材と（被）取付け部材を結合するために用いられるものであるが、貫通差込みスリーブを有する貫通差込み脚部を有する。貫通差込みスリーブを貫通して、ネジが挿通可能にされている。さらに、前記貫通差込み脚部に対向して配置されかつネジユニットと結合するネジ脚部が設けられている。ネジユニットにはネジが螺入可能にされている。この既知の固定クランプでは、ネジ脚部にも貫通差込みスリーブが形成されており、これら両方の貫通差込みスリーブは、夫々、貫通差込み脚部及びネジ脚部の互いに向い合う側から互いに向って延在している。この場合、この２つの貫通差込みスリーブの総計高さは、固定クランプが嵌め込まれるべき支持部材の厚さよりも大きい。支持部材に固定クランプが規定どおりに配置されると支持部材の対応する側に支持されるバネフラップが、貫通差込み脚部とネジ脚部の夫々に形成されている。このため、一方では確実な締付けを形成するためにネジを十分に強く締めることができるが、他方では変形（伸び）特性（可能性）（Ausdehnungsverhalten）がネジ結合によって損なわれることはないとされている。しかしながら、この既知の固定クランプには調整手段は備えられていない。
【０００３】
ＤＥ１０１５３５６９Ａ１から種々異なる変形（伸び）特性（可能性）を有するプレートの結合のための固定クランプが既知である。この固定クランプは矩形のベースプレートに形成されたネジスリーブを有する。この固定クランプは支持部材の長穴に嵌り込むことができ、その長手方向に摺動することができるが、その際、ネジスリーブは長穴に挿通されている。取付け部材は、ベースプレートのネジスリーブの反対側に当接されかつネジスリーブに螺合するネジによって固定されることによって、支持部材と結合することができる。このため、取付け部材は長穴の長手方向に摺動することができる。しかしながら、固定クランプの位置は、長穴の長手方向に対して横方向では固定されている。
【特許文献１】ＤＥ４２２８５１１Ａ１
【特許文献２】ＤＥ１０１５３５６９Ａ１
【発明の開示】
【発明が解決しようとする課題】
【０００４】
本発明の課題は、支持部材に対するある程度の位置決め自由度が確保されると共に、支持部材と堅固に結合した後に更に公差補償のために取付け部材の運動を可能にする冒頭に述べた種類の固定クランプを提供することである。
【課題を解決するための手段】
【０００５】
上記の課題は、冒頭に述べた形式の固定クランプにおいて、本発明に応じ、請求項１の特徴部に記載の特徴によって解決される。
【発明を実施するための最良の形態】
【０００６】
本発明の固定クランプは、まず、実質的に妨げなしで支持部材に（外から）嵌め込む（差込む）ことができ、支持部材の切欠部の領域で比較的粗く予位置決めすることができる。次に、貫通差込みスリーブが（被）取付け部材の切欠部に貫通嵌合するように、固定脚部［貫通差込み脚部］の支持部材に背向する側において取り付け部材を支持部材に載置したのち、ネジを貫通差込みスリーブに挿通して、ネジスリーブ（ネジユニット）に係合（螺合）することができる。ネジスリーブへのネジの係合（螺合）後、（食込）係止要素による支持部材の（食込）係止前に、固定クランプを支持部材に対して更に精密に位置決めすることができ、ネジ結合の完成及び（食込）係止要素による支持部材の（食込）係止により、固定クランプは支持部材に対して固定される。貫通差込みスリーブの有効構造高さは十分に大きいので、例えば取付け部材の厚さ若しくは平坦度の公差（誤差）の補償のために又は取付け部材に作用する他の諸条件と関連して、取付け部材は、取付け部材の切欠部の寸法の枠（範囲）内ないし取付け部材の支持部材に背向する側とネジの当接部（ネジヘッド下面ないしワッシャの当接面、Anschlag）との間の間隙の寸法の枠（範囲）内において、支持部材に対し更に運動することができる。
【０００７】
本発明のさらなる有利な形態は従属請求項の対象である。
【０００８】
図面を参照した本発明の有利な実施例の以下の説明から、さらなる有利な形態および利点が明らかとなる。
【実施例】
【０００９】
図１は、本発明の固定クランプの一実施例の斜視図である。この固定クランプは、ほぼ矩形で平坦な貫通差込み脚部１と、この貫通差込み脚部に対向するよう配置され同様に矩形のネジ脚部２を有する。貫通差込み脚部１とネジ脚部２は、夫々の細い（終）端縁部に形成された接続部分３を介して互いに結合されている。
【００１０】
貫通差込み脚部１は貫通差込み開口４を有しており、この貫通差込み開口４の縁部領域には、貫通差込み脚部１から離隔するように延在する貫通差込みスリーブ５が形成されている。貫通差込み脚部１には、貫通差込みスリーブ５の周囲に、貫通差込み脚部１のネジ脚部２から離隔する側に隆起する複数の隆起部６が（プレス）形成されている。
【００１１】
ネジ脚部２は、補強のために、そのより長い方の両側縁部に、夫々、貫通差込み脚部１から離隔するようほぼ直角に折り曲げられて形成されたサイドリブ７を有する。ネジ脚部２は、接続部分３に対向する短い端縁部に、貫通差込み脚部１から離隔する方向に斜めに折り曲げられて形成された導入タング（舌状部）８を有する。
【００１２】
ネジ脚部２は、貫通差込み開口４に対向されるべき位置に、図１の記載では視認することができない貫通案内開口９を有する。この貫通案内開口９の縁部領域に沿うようにして、貫通差込み脚部１から離隔するように配向されたネジスリーブ１０が、雌ネジを備えたネジユニットとして形成されている。ネジスリーブ１０の周囲には、（食込）係止要素として、打ち抜き（打ち出し）により貫通差込み脚部１の方向に配向（指向）された（複数の）鉤爪状舌部（突部）１１が形成されている。
【００１３】
図２は、接続部分３から離隔する方向に見た、図１に示した本発明の固定クランプの貫通差込みスリーブ５及びネジスリーブ１０の領域における貫通差込み脚部１及びネジ脚部２の短い方の両（端）縁部に対し平行な断面を示した図である。貫通差込みスリーブ５の内径はネジスリーブ１０の内径よりも大きいこと、ネジスリーブ１０はネジスリーブ１０からネジ脚部２に向かって拡開する円錐部分（円錐台部）１２を介してネジ脚部２と結合していることが図２から分かる。このため、貫通差込みスリーブ５を貫通してネジスリーブ１０内に至る図２に図示されてないネジの比較的簡単な案内が達成されるが、円錐部分１２は、変形を回避するためにネジを締める際の有利な力伝達ももたらす。
【００１４】
さらに、隆起部（複数）６は、貫通差込み脚部１のネジ脚部２に背向する側に突出するがその大きさは貫通差込みスリーブ５の総構造高さと比べると僅かであること、このため、以下に更に詳細に説明する貫通差込みスリーブ５の有効構造高さは、僅かしか減少しないことが図２から分かる。
【００１５】
図３は、上述した本発明の固定クランプに結合されるべき支持部材（部分）１３と取付け部材（部分、Anbauteil）１４を示すが、図３には、結合の実行に関連する領域のみが示されている。ここで、支持部材１３と取付け部材１４は、それぞれ、支持部材１３と取付け部材１４との結合後互いに面一にされるべき直線状の縁部エッジ１５、１６を有する。このために、支持部材１３には長手の支持部材切欠部１７が形成されており、この支持部材切欠部１７の長手方向は支持部材１３の縁部エッジ１５に対して直角に配向され、ネジスリーブ１０の外径よりも大きな幅を有する。支持部材切欠部１７は、支持部材１３の縁部エッジ１５から所定の間隔をおいて終端する。
【００１６】
取付け部材１４は、長手の取付け部材切欠部１８を有し、その長手軸は取付け部材１４の縁部エッジ１６に対して平行に配向されている。取付け部材切欠部１８の長手軸（一点鎖線）は、両方の縁部エッジ１５、１６がほぼ面一に配置されている場合、支持部材切欠部１７の中央（中心）部（一点鎖線）に位置する。
【００１７】
図４は、貫通差込み脚部１とネジ脚部２との間に支持部材１３が嵌め込まれかつ隆起部６上に取付け部材１４が載置された状態にある上述した本発明の固定クランプであって、ネジスリーブ１０に螺合するためにネジを貫通差込みスリーブ５に貫通案内する前の様子を示す。貫通差込み脚部１とネジ脚部２がＶ字状に開くような状態に折り曲げられることによって、固定クランプが鉤爪状舌部（複数）１１の（食込）係止なしに何の支障もなく支持部材１３に嵌まり込むことができる程に十分に大きな間隔が形成されることが図４から分かる。図４に示した状態において、ネジとネジスリーブ１０との係合後で鉤爪状舌部１１による支持部材１３の確定的（固定的）な係止前に、固定クランプは、最終（目標）位置を達成するために支持部材１３に対して微調整することができる。そして、ネジを締め、鉤爪状舌部１１によって支持部材１３を完全に係止することにより、固定クランプは最終（目標）位置に確定（固定）される。
【００１８】
確定的（固定的）なネジ結合が形成された後、ネジのヘッドないしネジのヘッドとネジのネジ切り部分との間に嵌め込まれたワッシャが、ネジスリーブ［正しくは、貫通差込みスリーブ］５のネジ脚部２から離隔する側の縁部に当接する。ネジスリーブ［正しくは、貫通差込みスリーブ］５のネジ脚部２から離隔する側の縁部と、隆起部６の接触面又はこの隆起部６がない場合には貫通差込み脚部１のネジ脚部２に背向する側との間隔によって規定されるネジスリーブ［正しくは、貫通差込みスリーブ］５の有効構造高さを、取付け部材１４の厚さよりも大きくなるように調整することによって、取付け部材１４は、公差補償のために、一方では取付け部材切欠部１８の長手方向に運動することができ、他方ではネジないしワッシャの貫通差込み脚部１を指向する側と隆起部６の上側（上面）との間において僅かであるが更に運動することができる。その際、取付け部材１４と隆起部６との接触が比較的小さい面で行われることによって、固定クランプと取付け部材１４との間の摩擦も比較的小さくすることができる。
【図面の簡単な説明】
【００１９】
【図１】本発明の固定クランプの一実施例の斜視図。
【図２】図１の固定クランプの横方向における断面図。
【図３】本発明の固定クランプによって結合されるべき支持部材と取付け部材の一例の平面図。
【図４】固定クランプに差し込まれた支持部材と、固定クランプ上に載置された取付け部材とを有する図１の実施例の縦方向における断面図。
【図１】
2009509107.tif 000003
【図２】
2009509107.tif 000004
【図３】
2009509107.tif 000005
【図４】
2009509107.tif 000006
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
ネジが挿通可能な貫通差込みスリーブ（５）を有する貫通差込み脚部（１）と、該貫通差込み脚部（１）に対向するよう配置されると共に、該貫通差込み脚部（１）から離隔するよう配向されかつネジが螺入可能なネジユニット（１０）が形成されたネジ脚部（２）とを備えた、支持部材（１３）と取付け部材（１４）を結合するための固定クランプであって、
前記貫通差込みスリーブ（５）は前記ネジ脚部（２）から離隔するよう延在しかつ前記取付け部材（１４）の厚さよりも大きい有効構造高さを有し、
係止要素（複数）（１１）を有し、及び
前記貫通差込み脚部（１）と前記ネジ脚部（２）は、固定クランプの結合形成前の状態において支持部材（１３）が前記係止要素（複数）（１１）によって実質的に係止されることなく前記貫通差込み脚部（１）と前記ネジ脚部（２）との間に位置決め可能な大きさの間隔を有し、該係止要素（複数）（１１）は、ネジが終端位置に螺入されることにより、固定クランプが該支持部材（１３）と摺動不能に結合されるように該支持部材（１３）を係止する固定クランプにおいて、
前記貫通差込み脚部（１）と前記ネジ脚部（２）は、該貫通差込み脚部（１）の端縁部と該ネジ脚部（２）の端縁部に形成された接続部分（３）によって互いに結合されていること
を特徴とする固定クランプ。
【請求項２】
前記係止要素（複数）は、打抜形成された鉤爪舌部（１１）として構成されていること
を特徴とする請求項１に記載の固定クランプ。
【請求項３】
前記貫通差込み脚部（１）には、該貫通差込み脚部（１）の前記ネジ脚部（２）に背向する側に突出延在する隆起部（複数）（６）が形成されていること
を特徴とする請求項１又は２に記載の固定クランプ。
【請求項４】
前記係止要素（複数）（１１）は、前記ネジ脚部（２）の前記貫通差込み脚部（１）を指向する側に形成されていること、
前記ネジ脚部（２）の互いに向い合う側縁部（複数）には、夫々、前記貫通差込み脚部（１）から離隔するよう配向されるサイドリブ（７）が形成されていること
を特徴とする請求項１〜３の何れか一項に記載の固定クランプ。
【請求項５】
前記ネジスリーブ（ユニット）（１０）は、円錐部分（１２）を介して前記ネジ脚部（２）に結合されていること
を特徴とする請求項１〜４の何れか一項に記載の固定クランプ。
【手続補正２】
【補正対象書類名】明細書
【補正対象項目名】０００３
【補正方法】変更
【補正の内容】
【０００３】
ＤＥ１０１５３５６９Ａ１から種々異なる変形（伸び）特性（可能性）を有するプレートの結合のための固定クランプが既知である。この固定クランプは矩形のベースプレートに形成されたネジスリーブを有する。この固定クランプは支持部材の長穴に嵌り込むことができ、その長手方向に摺動することができるが、その際、ネジスリーブは長穴に挿通されている。取付け部材は、ベースプレートのネジスリーブの反対側に当接されかつネジスリーブに螺合するネジによって固定されることによって、支持部材と結合することができる。このため、取付け部材は長穴の長手方向に摺動することができる。しかしながら、固定クランプの位置は、長穴の長手方向に対して横方向では固定されている。さらに、下記特許文献３も知られている。
【特許文献１】  ＤＥ４２２８５１１Ａ１
【特許文献２】  ＤＥ１０１５３５６９Ａ１
【特許文献３】  ＦＲ２７６２８８２Ａ１
【発明の開示】
【発明が解決しようとする課題】
【手続補正３】
【補正対象書類名】図面
【補正対象項目名】図２
【補正方法】変更
【補正の内容】
【図２】
2009509107.tif 000007
【手続補正書】
【提出日】平成20年6月20日(2008.6.20)
【手続補正１】
【補正対象書類名】明細書
【補正対象項目名】０００１
【補正方法】変更
【補正の内容】
【０００１】
本発明は、請求項１の上位概念による固定クランプに関する。即ち、本発明は、ネジが挿通可能な貫通差込みスリーブを有する貫通差込み脚部と、該貫通差込み脚部に対向するよう配置されると共に、該貫通差込み脚部から離隔するよう配向されかつネジが螺入可能なネジユニットが形成されたネジ脚部とを備えた、支持部材と取付け部材を結合するための固定クランプに関する。
【手続補正２】
【補正対象書類名】明細書
【補正対象項目名】０００５
【補正方法】変更
【補正の内容】
【０００５】
上記の課題は、冒頭に述べた形式の固定クランプにおいて、本発明に応じ、請求項１の特徴部に記載の特徴によって解決される。
即ち、本発明は、ネジが挿通可能な貫通差込みスリーブを有する貫通差込み脚部と、該貫通差込み脚部に対向するよう配置されると共に、該貫通差込み脚部から離隔するよう配向されかつネジが螺入可能なネジユニットが形成されたネジ脚部とを備えた、支持部材と取付け部材を結合するための固定クランプであって、前記貫通差込みスリーブは前記ネジ脚部から離隔するよう延在しかつ前記取付け部材の厚さよりも大きい有効構造高さを有し、係止要素（複数）を有し、及び前記貫通差込み脚部と前記ネジ脚部は、固定クランプの結合形成前の状態において支持部材が前記係止要素（複数）によって実質的に係止されることなく前記貫通差込み脚部と前記ネジ脚部との間に位置決め可能な大きさの間隔を有し、該係止要素（複数）は、ネジが終端位置に螺入されることにより、固定クランプが該支持部材と摺動不能に結合されるように該支持部材）を係止する固定クランプにおいて、前記貫通差込み脚部と前記ネジ脚部は、該貫通差込み脚部の端縁部と該ネジ脚部の端縁部に形成された接続部分によって互いに結合されていることを特徴とする。（基本形態１）
【手続補正３】
【補正対象書類名】明細書
【補正対象項目名】０００７
【補正方法】変更
【補正の内容】
【０００７】
本発明のさらなる有利な形態は従属請求項の対象である。即ち、
前記係止要素（複数）は、打抜形成された鉤爪舌部として構成されていることが好ましい。（形態２）
前記貫通差込み脚部には、該貫通差込み脚部の前記ネジ脚部に背向する側に突出延在する隆起部（複数）が形成されていることが好ましい。（形態３）
前記係止要素（複数）は、前記ネジ脚部の前記貫通差込み脚部を指向する側に形成されていること、前記ネジ脚部の互いに向い合う側縁部（複数）には、夫々、前記貫通差込み脚部から離隔するよう配向されるサイドリブ（７）が形成されていることが好ましい。（形態４）
前記ネジスリーブ（ユニット）は、円錐部分を介して前記ネジ脚部に結合されていることが好ましい。（形態５）
【国際調査報告】
2009509107.tif 000008
2009509107.tif 000009
2009509107.tif 000010
2009509107.tif 000011